(57)【要約】      （修正有）【課題】ディスプレイパネルを有する携帯型情報端末において、両手の中指、薬指、小指で軽く握り、画面に触れずに、両手の親指、人差し指を効率良く使い操作できるような、操作機能の配置と操作方法を提供する。【解決手段】表面にディスプレイパネルを有する携帯型情報端末本体と、この本体裏面側両側部下側に、中指、薬指、小指を接しやすい凹凸を持った形状の持ち手を付設して軽く握り、親指を表面側に、人差し指を裏面側に出す。本体表面側右側部、左側部に設けたボタンを、表面側に出した両手の親指で押下し、それぞれ右クリック、左クリックの機能を持たせる。本体裏面側に設置したフラットポイント部分でカーソルを動かし、また、本体右側面部のスクロールダイヤルを回してページをめくり、本体左側面部の拡大縮小ダイヤルを回して拡大、縮小を行う。【選択図】図１
2011223613.tif 000002
【特許請求の範囲】
【請求項１】
表面にディスプレイパネルを有する本体と、この本体の裏面側両側部下側に、両手の中指、薬指、小指を接しやすい形状の持ち手とを具備したことを特徴とする携帯型情報端末。
【請求項２】
上記本体裏面側にあり、上記持ち手を両手の中指、薬指、人差し指で軽く握ったとき、両手人差し指で操作がしやすい位置にフラットポイントを具備し、上記フラットポイントを右手または左手人差し指でなぞって動かすことにより、これに連動して、画面上のカーソルを動かす機能を持たせることを特徴とする請求項１記載の携帯型情報端末。
【請求項３】
上記本体表面側右側部にあり、上記持ち手を両手の中指、薬指、人差し指で軽く握ったとき、右手親指で操作がしやすい位置に右ボタンを、同様に表面側左側部にあり、左手親指で操作がしやすい位置に左ボタンを具備し、上記右ボタン、左ボタンを右手または左手親指で押下することにより、それぞれ、画面上における右クリック、左クリックの機能を持たせることを特徴とする、請求項１又は２記載の携帯型情報端末。
【請求項４】
上記本体右または左側面部にあり、上記持ち手を両手の中指、薬指、人差し指で軽く握ったとき、右または左手人差し指で操作がしやすい位置にスクロールダイヤルを具備し、上記スクロールダイヤルを右手または左手人差し指で回すことにより、画面上における行やページの移動の機能を持たせることを特徴とする、請求項１又は２又は３記載の携帯型情報端末。
【請求項５】
上記本体左または右側面部にあり、上記持ち手を両手の中指、薬指、人差し指で軽く握ったとき、左または右手人差し指で操作がしやすい位置に拡大縮小ダイヤルを具備し、上記拡大縮小ダイヤルを左手または右手人差し指で回すことにより、画面上における拡大、縮小の機能を持たせることを特徴とする、請求項１又は２又は３又は４記載の携帯型情報端末。
【発明の詳細な説明】
【技術分野】
【０００１】
本発明はディスプレイパネルを有する携帯型情報端末本体の裏面側両端に持ち手を付設し、両手の中指、薬指、小指で軽く握り、画面に触れずに、両手の親指、人
差し指を効率良く使うことのできる、携帯型情報端末の形状、操作機能の配置と、操作方法に関するものである。
【背景技術】
【０００２】
従来、ノートパソコン、スマートフォン、電子書籍などの携帯型情報端末で、両手で本体を持ちながら操作しやすい形状と機能を持ったものは存在せず、片手で本
体を持ちながら、もう片手で操作することが多かった。ノートパソコンでは、本体手前側中央部に設置されたフラットポイントでカーソルを移動し、クリックする
ことで操作してきた。また、タッチパネル式の場合は、ディスプレイパネルに表示されるアイコンを直接指で触れることで操作してきた。
【先行技術文献】
【特許文献】
【０００３】
【特許文献１】特開２０１１−０１３７３８号
【特許文献２】特開２００２−３３０２０３号
【発明の開示】
【発明が解決しようとする課題】
【０００４】
そのために、次のような問題点があった。
（イ）片手で本体を持ちながら、もう片手で操作するため、長時間の使用時に疲れやすかった。また、人の両手の指の形状と機能を最大限発揮できるものになって
いなかった。
（ロ）タッチパネル式の場合は、ディスプレイパネルに直接指で触れるため、画面に指紋などの汚れが付着しやすかった。
（ハ）電子書籍としての利用時に、紙の本に近い感覚で利用することが困難であった。
本発明は、以上の問題点を解決するためのものである。
【課題を解決するための手段】
【０００５】
（イ）表面にディスプレイパネルを有する携帯型情報端末本体と、この本体の裏面側両側部下側に、両手の中指、薬指、小指の一部を入れて接しやすい形状の持ち
手を具備して、これを両手中指、薬指、小指で軽く握り、本体を持ち上げ、両手親指を表面側に、両手人差し指を裏面側と側面側に出せるようにする。
（ロ）上記本体裏面側の、（イ）において人指し指が十分届き、操作をしやすい位置に、画面上のカーソルを動かす機能を持つフラットポイントを、１つまたは２つ具備する。これを右手または左手人差し指でなぞって動かすことで、画面上のカーソルが、この操作に連動して動くものとする。
（ハ）上記本体表面側右側部の、（イ）において親指が十分届き、操作をしやすい位置に右ボタンを、左側部に左ボタンを、それぞれ１つずつ具備する。これを右手または左手親指で押下することで、それぞれ画面上における、右クリック、左クリックの機能を持つものとする。
（ニ）上記本体右または左側面部の、（イ）において人差し指が十分届き、操作をしやすい位置に、画面上の行やページを移動させるためのスクロールダイヤルを、上記本体左または右側面部の、（イ）において人差し指が十分届き、操作をしやすい位置に、画面上対象範囲を拡大または縮小するための拡大縮小ダイヤルを、それぞれ１つずつ具備する。これを右手または左手の人差し指でダイヤルを回すことで、それぞれ、画面上の行やページの移動と、画面上対象範囲の拡大、縮小の機能を持つものとする。
以上を特徴とする携帯型情報端末の形状、操作機能の配置とそれに伴う操作方法である。
【発明の効果】
【０００６】
両手の各指のポジションと役割を明確にすることで、携帯型情報端末本体を持ち上げながらでも、両手の親指、人差し指を効率的に使った操作ができる。また、中指、薬指、小指が持ち手と接することで握力がかかりやすくなり、片手で持って操作する場合においても、落とす心配がない。なお、電子書籍としての使用時には、両手で持ちながら、行やページの移動が、人差し指でダイヤルを回すだけで出来るため、紙の本の読書に近い感覚を得ることができる。さらに、画面に直接指で触れないため、汚れが付着しづらい。
【図面の簡単な説明】
【０００７】
【図１】本発明の各機能の配置と相関図
【図２】本発明の本体表面側斜視図
【図３】本発明の本体裏面側斜視図
【図４】本発明の本体右側面図
【図５】本発明の本体左側面図
【発明を実施するための形態】
【０００８】
以下、本発明の実施の形態を説明する。
（イ）表面にディスプレイパネル（１）を有する携帯型情報端末本体（A）と、この本体の裏面側両側部下側に、中指、薬指、小指の一部を入れて接しやすい、凹凸を持った形状の持ち手部を付設する。本体（A）裏面側右側部のものを右持ち手部（２）、左側部のものを左持ち手部（３）とする。
（ロ）上記本体裏面側の、上記持ち手部から適当な位置に、画面上のカーソルを動かす機能を持つフラットポイントを具備する。右持ち手部（２）と、左持ち手部（３）にそれぞれ対応する位置に１つずつこれを設置する場合、右側のものを右フラットポイント（４）、左側のものを左フラットポイント（５）とする。 
（ハ）上記本体表面側右側部の、上記持ち手部から適当な位置に右ボタン（６）を、左側部に左ボタン（７）を、それぞれ１つずつ具備して、それぞれ右クリック、左クリックの機能を持たせる。
（ニ）上記本体右側面部の、上記持ち手部から適当な位置に、画面上の行やページを移動させるためのスクロールダイヤル（８）を、上記本体左側面部の、上記持ち手部から適当な位置に、画面上対象範囲を拡大または縮小するための拡大縮小ダイヤル（９）を、それぞれ１つずつ具備する。
（実施例１）
【０００９】
本発明は以上のような構成で、これを利用するときは、右持ち手部（２）に右手中指、薬指、小指を、左持ち手部（３）に左手中指、薬指、小指を接して軽く握り、親指を本体（Ａ）表面側に人差し指を裏面側または側面側に出す。（０００８）中の「上記持ち手部から適当な位置」とは、このときの、「本体（A）表面側に出した親指と、裏面側または側面側に出した人差し指が、各操作機能を操作しやすい位置」との意味である。表面側に出した両手の親指で右ボタン（６）、左ボタン（７）を押下することで、それぞれ、従来のマウス機能における右クリック、左クリックの機能を実行する。また、裏面側に出した右または左手人差し指で、右フラットポイント（４）または左フラットポイント（５）をなぞって動かすことで、ディスプレイ上のカーソルを、この動きに連動させて操作する。さらに、スクロールダイヤル（８）と拡大縮小ダイヤル（９）において、右手と左手の人差し指でダイヤルを回すことで、それぞれ、画面上の行やページの移動と、画面上対象範囲の拡大、縮小の機能を実行する。これにより、携帯型情報端末を簡便に利用するために必要な、操作機能、操作方法が提供される。
（実施例２）
【００１０】
電子書籍としての利用時には、本体（A）を両手で持ちながら、スクロールダイヤル（６）と拡大縮小ダイヤル（７）を、右または左手の人差し指でダイヤルを回すことで、紙の本の読書に近い感覚を得ることができる。また、中指、薬指、小指が引っ掛かることにより、握力がかかりやすい構造であるため、片手のみで持つ場合でも、安定的に使用できる。
（補足１）
【００１１】
上記実施例１と２の操作機能を実現するために、携帯型情報端末本体（A）内部に存在する中央演算処理装置（１４）と、右フラットポイント（４）、左フラットポイント（５）右ボタン（６）、左ボタン（７）、スクロールダイヤル（８）、拡大縮小ダイヤル（９）間を電気回路で接続する。親指、人差し指による、（３）、（４）、（５）、（６）、（７）、（８）、（９）の操作を電気信号に変換し、中央演算処理装置（１０）で処理することで、その結果がディスプレイパネル（１）に表示されるものとする。この相関図を図１にて示す。
（補足２）
【００１２】
上記持ち手の形状の一例として、中指、薬指、人差し指を当てはめて、接しやすいような、３つの指穴を持った形状のものを、図３、図４、図５内に提示する。その大きさは、指が太く、大きい人の各指の第一関節が各穴に十分収まる程度とする。持ち手部全体の素材は一例として、樹脂製のものを用い、指穴内部の素材は伸縮性を持ったものであることが望ましい。これにより、フリーサイズとして、ある程度、多様な大きさ、形状の指を持つ利用者に対応できる。なお、上記実施例においては、持ち手部は本体（A)と一体の構成であることを想定しているが、持ち手部をビス等で本体（A)と着脱可能とすることにより、利用者個人に最適な持ち手を選択して、これを取り付け、利用しても良い。
（補足３）
【００１３】
ノートパソコン、スマートフォン等の携帯型情報端末において一般的に付設されているキーボードについては、本発明の趣旨とは直接の関係がないため任意である。すなわち、本体（A）表面側ディスプレイパネル（１）の下部に設置しても良いし、また、ディスプレイパネル（１）上に、画像表示される形でも良い。同様に、電源スイッチ、充電コネクタ、各種インターフェース等の機能についても、製品製作者、利用者の任意である。さらに、スクロールダイヤル（８）と、拡大縮小ダイヤル（９）は、左右どちらに設定しても、他の操作機能として転用可能なものとしても良い。
【産業上の利用可能性】
【００１４】
両手、または片手で操作しやすい形状と機能を持つことにより、文字情報、音声、画像、映像などをやりとりする携帯型情報端末として利用できる。その中でも、本発明は、電子書籍としての利用に適した操作機能を備えている。
【符号の説明】
【００１５】
Ａ携帯型情報端末本体
１ディスプレイパネル
２右持ち手部
３左持ち手部
４右フラットポイント
５左フラットポイント
６右ボタン
７左ボタン
８スクロールダイヤル
９拡大縮小ダイヤル
１０中央演算処理装置
【図１】
2011223613.tif 000003
【図２】
2011223613.tif 000004
【図３】
2011223613.tif 000005
【図４】
2011223613.tif 000006
【図５】
2011223613.tif 000007